(57)【要約】【課題】キー用バイスを複数個装着することができ、使用する専用のキー用バイスを迅速に選択して効率よく精度の高い合鍵を複製することができる合鍵複製機の提供を課題とする。【解決手段】移動テーブル支持部５ｂは、横送り用ハンドル７の操作によりＸ方向に移動する。移動テーブル本体５ａは移動テーブル支持部５ｂ上でＹ方向に移動する。移動テーブル本体上には、回動可能な円盤部材３０が装着されている。円盤部材３０上には複数個のキー用バイス２１〜２４が配設されている。４０は、円盤部材３０を所定の位置で係止する係止装置である。【選択図】  図１
0003123560.tif 000002
【実用新案登録請求の範囲】
【請求項１】
被加工用キーブランクを切削するカッターの切削端とマスターキーの凹凸をトレースす
る倣い具の接触端とが所定距離を隔てて配設され、前記カッターの切削端と前記倣い具の
接触端とを結ぶ直線に対して平行な上面を有し且つ前記カッターの切削端と前記倣い具の
接触端に対して前後方向（Ｙ方向），左右方向（Ｘ方向）に移動可能な移動テーブルが配
設され、前記カッターの切削端に対向する前記キーブランクを固定するキー用バイスと前
記倣い具の接触端に対向する前記マスターキーを固定するキー用バイスとが前記直線に平
行な直線上で前記所定距離を隔てるように前記移動テーブルの上面上に設定されたキー用
バイス設置位置にそれぞれ配設された合鍵複製機において、
前記移動テーブルの上面には、中央部を中心として回動自在な２つの円盤部材と該円盤
部材の回動動作を停止させる係止装置とが配設され、
前記２つの円盤部材は、それぞれの周辺部が、前記移動テーブルの２つの前記キー用バ
イス設置位置のそれぞれの上部に位置するように前記移動テーブルの上面に配設され、且
つ、前記２つの円盤部材の前記周辺部の上面には、円周方向に沿って複数個の前記キー用
バイスが装着されていることを特徴とする合鍵複製機。
【請求項２】
前記キー用バイスは、前記円盤部材の上面上に配設されたバイス用マウント上に載置固
定されており、当該バイス用マウント上に載置固定された前記キー用バイスの下端面と前
記円盤部材の上面との間には空隙が形成されるように前記バイス用マウントの高さが選ば
れていることを特徴とする請求項１に記載の合鍵複製機。
【請求項３】
前記円盤部材の周縁部には、当該円盤部材の上面から下面に至る鉛直方向に延在する凹
部が円周方向に沿って複数個形成されており、前記係止装置は、前記凹部に嵌合可能な先
端部を有する係止杆と該係止杆を摺動自在に支持する本体と該本体内部に配設され前記係
止杆を前記円盤部材の方向に付勢するコイルばねとによって構成されていることを特徴と
する請求項１または２に記載の合鍵複製機。
【考案の詳細な説明】
【技術分野】
【０００１】
本考案は、マスターキーと同一の合鍵を製造する合鍵複製機に関するものである。
【背景技術】
【０００２】
図６は、従来の合鍵複製機の構成を示した斜視図である。
【０００３】
このような合鍵複製機１においては、マスターキーの凹凸をトレースする倣い具２の接
触端と、被加工用キーブランクに凹凸を形成するためのカッター３の切削端とが所定距離
を隔てて配設されている。カッター３は、モータ４によって回転し、被加工用キーブラン
クの側端部を切削して、この側端部にマスターキーの凹凸と同様の凹凸を形成する。
【０００４】
マスターキーと被加工用キーブランクを挾持固定する２つのキー用バイス２０は、カッ
ター３の切削端と倣い具２の接触端とを結ぶ直線に平行な直線上に、前述した所定距離だ
け隔てられた状態で移動テーブル５の上面上に配設されている。１０は、キー用バイス２
０とマスターキーとを共に、又はキー用バイス２０とキーブランクとを共に移動テーブル
５に固定するための固定用ナットである。
【０００５】
移動テーブル５は、その上面がカッター３の切削端と倣い具２の接触端とを結ぶ直線に
平行な状態を保ったまま支持軸６を中心として回動自在となるように支持軸６に支持され
ている。従って移動テーブル５を支持軸６を中心として回動させることにより、キー用バ
イス２０を倣い具２やカッター３に対して前後方向（Ｙ方向）に移動させることができる
。
【０００６】
７は横送り用ハンドルであり、この横送り用ハンドル７を回動させることにより移動テ
ーブル５を左右方向（Ｘ方向）に移動させることができる。
【０００７】
以上のように構成された合鍵複製機１を用いて合鍵を作成する場合には、倣い具２に対
面しているキー用バイス２０にマスターキーを固定し、カッター３に対面しているキー用
バイス２０に被加工用キーブランクを固定して、移動テーブル５と横送り用ハンドル７と
を操作することにより、マスターキーの側端部に形成されている凹凸と同様の凹凸を被加
工用キーブランクの側端部に形成していく。
【０００８】
ここで、マスターキーやキーブランクを固定するキー用バイス２０は、図７に示したよ
うに、上バイス部材２０ａと下バイス部材２０ｂとによって構成され、上バイス２０ａと
下バイス２０ｂとの間にマスターキーやキーブランクを挾持させた状態で固定用ナット１
０によって移動テーブル５に固定されるものである。
【０００９】
ここで、マスターキーの横断面の形状は、現在では様々な形状のものがあり、それに伴
って合鍵を複製する際には、複製するマスターキーの横断面の形状に応じた挾持面を有す
る専用のキー用バイスが使用されている。
【００１０】
合鍵を複製する際、現在使用されているキー用バイス２０には、図８（ａ）に示した対
向する２辺に挾持面を有する所謂２面バイスと、図８（ｂ）に示した４辺のそれぞれに挾
持面を有する所謂４面バイスとの２種類のキー用バイスがある。図９（ａ）は図８（ｂ）
のＡ−Ａ断面図であり、図９（ｂ）は図８（ｂ）のＢ−Ｂ断面図である。図９（ａ），（
ｂ）において、１１は、一端が移動テーブル５に固定された固定用ボルトであり、この固
定用ボルト１１はキー用バイス２０を貫通した状態で固定用ナット１０と螺合している。
【考案の開示】
【考案が解決しようとする課題】
【００１１】
図８（ｂ）に示したキー用バイス２０すなわち所謂４面バイスを使用する場合には、固
定用ナット１０を緩め、所望の挾持面がカッター３や倣い具２と対向するようにキー用バ
イス２０を固定用ボルト１１を中心として回転させて、その選ばれた挾持面にマスターキ
ーやキーブランクを挟んで固定用ボルト１０で固定すればよい。
【００１２】
しかしながら、４辺のそれぞれに挾持面が形成された所謂４面バイスにおいては、キー
用バイス２０の一辺の全てを対象となるマスターキーやキーブランクに密着させることが
できず、このために、図８（ａ）に示した所謂２面バイスに比して挾持能力が低く、合鍵
の作製中にマスターキーやキーブランクの位置がずれて複製された合鍵の精度が低下して
しまう虞があった。
【００１３】
図８（ａ）に示した所謂２面バイスを使用する場合には、挾持能力が高く、合鍵の作製
中にマスターキーやキーブランクの位置がずれることはほとんどない。しかしながら、こ
のような所謂２面バイスにおいては、１つのキー用バイス２０では、２種類の挾持面しか
形成することができないために、固定用ナット１０を外して、キー用バイス２０自体を所
望の挾持面を有するキー用バイス２０に交換しなければならない事態が頻繁に生じること
になり、このキー用バイスの交換作業により、合鍵を作製する作業効率が著しく低下して
しまうという問題が生じてしまう。
【課題を解決するための手段】
【００１４】
以上の課題を解決するために本考案は、被加工用キーブランクを切削するカッターの切
削端とマスターキーの凹凸をトレースする倣い具の接触端とが所定距離を隔てて配設され
、前記カッターの切削端と前記倣い具の接触端とを結ぶ直線に対して平行な上面を有し且
つ前記カッターの切削端と前記倣い具の接触端に対して前後方向（Ｙ方向），左右方向（
Ｘ方向）に移動可能な移動テーブルが配設され、前記カッターの切削端に対向する前記キ
ーブランクを固定するキー用バイスと前記倣い具の接触端に対向する前記マスターキーを
固定するキー用バイスとが前記直線に平行な直線上で前記所定距離を隔てるように前記移
動テーブルの上面上に設定されたキー用バイス設置位置にそれぞれ配設された合鍵複製機
において、前記移動テーブルの上面には、中央部を中心として回動自在な２つの円盤部材
と該円盤部材の回動動作を停止させる係止装置とが配設され、前記２つの円盤部材は、そ
れぞれの周辺部が、前記移動テーブルの２つの前記キー用バイス設置位置のそれぞれの上
部に位置するように前記移動テーブルの上面に配設され、且つ、前記２つの円盤部材の前
記周辺部の上面には、円周方向に沿って複数個の前記キー用バイスが装着されていること
を特徴とするものである。ここで、前記キー用バイスは、前記円盤部材の上面上に配設さ
れたバイス用マウント上に載置固定されており、当該バイス用マウント上に載置固定され
た前記キー用バイスの下端面と前記円盤部材の上面との間には空隙が形成されるように前
記バイス用マウントの高さが選ばれてもよい。さらに、前記円盤部材の周縁部には、当該
円盤部材の上面から下面に至る鉛直方向に延在する凹部が円周方向に沿って複数個形成さ
れており、前記係止装置は、前記凹部に嵌合可能な先端部を有する係止杆と該係止杆を摺
動自在に支持する本体と該本体内部に配設され前記係止杆を前記円盤部材の方向に付勢す
るコイルばねとによって構成されていてもよい。
【考案の効果】
【００１５】
本考案によれば、キー用バイスを複数個装着することができ、使用する専用のキー用バ
イスを迅速に選択して効率よく精度の高い合鍵を複製することができる合鍵複製機の提供
することができる。
【考案を実施するための最良の形態】
【００１６】
以下、図面を用いて本考案の実施例について説明する。
【実施例１】
【００１７】
図１は、本考案の実施例１の構成を示した斜視図である。
【００１８】
図１において、図６に示した従来の合鍵複製機１と同一符合のものは同一のものを示し
ている。図１に示した本実施例１の構成が、図６に示した従来の合鍵複製機１の構成と異
なるところは、キー用バイスが固定される移動テーブルの構成のみであるので、以下、こ
の移動テーブルついて図面を用いて説明し、その他の部分の説明は省略する。
【００１９】
図１に示すように、本実施例１の移動テーブル５は、移動テーブル本体５ａと移動テー
ブル支持部５ｂとによって構成されている。移動テーブル本体５ａの上面には、円盤部材
３０とこの円盤部材３０を係止する係止位置４０とを載置するための台座部５ｃが配設さ
れている。移動テーブル本体５ａ上の２つの台座部５ｃのそれぞれに載置された２つの円
盤部材３０の周辺部の上面には、それぞれが異なる挾持面を有するキー用バイス２１〜２
４が円周方向に沿って装着されている。
【００２０】
移動テーブル５を構成する移動テーブル支持部５ｂは、２本の支持軸６によって左右方
向（Ｘ方向）に摺動自在に支持されており、横送りハンドル７を操作することによって左
右方向（Ｘ方向）に移動させることができる。移動テーブル本体５ａは、その上面に装着
された円盤部材３０と共に、移動テーブル支持部５ｂの上部において前後方向（Ｙ方向）
に移動可能となるようにテーブル支持部５ｂに装着されている。
【００２１】
図２は、移動テーブル本体５ａと円盤部材３０との平面構成を示す平面図であり、図３
は円盤部材３０の厚み方向の構成を示す断面図である。
【００２２】
図３に示すように、円盤部材３０は、移動テーブル本体５ａに固定されている軸部材３
３を中心として回動自在となるように、移動テーブル本体５ａ上の台座部５ｃの上面に装
着されている。３４は、台座部５ｃの上面と、円盤部材３０の下面との間に介設されてい
るロールベアリングである。ここで、移動テーブル本体５ａの上面、台座部５ｃの上面、
円盤部材３０の上面は、図２に示した倣い具２の接触端とカッター３の切削端とを結ぶ直
線Ｌ１に平行な平面となっている。
【００２３】
図２に示したように、本実施例１においても従来の合鍵複製機と同様に、倣い具２の接
触端とカッター３の切削端とは所定距離Ｄ隔てた位置に配設されている。移動テーブル本
体５ａの上面上には、倣い具２の接触端とカッター３の切削端とを結ぶ直線Ｌ１と平行な
直線Ｌ２上で所定距離Ｄ隔てた位置に、キー用バイスを設置すべきキー用バイス設置位置
Ｐ１，Ｐ２が予め定められている。２つの円盤部材３０は、それぞれの周辺部がこのキー
用バイス設置位置Ｐ１，Ｐ２上に位置するように移動テーブル本体５ａ上に配設されてい
る。
【００２４】
キー用バイス設置位置Ｐ１，Ｐ２上に位置する円盤部材３０の周辺部の上面には、キー
用バイスを載置するための複数個のバイス用マウント３１が円周方向に沿って配設されて
いる。
【００２５】
円盤部材の周縁部には、バイス用マウント３１がキー用バイス設置位置Ｐ１，Ｐ２上に
位置したときに係止装置４０と係合する凹部３２が複数個形成されている。
【００２６】
円盤部材３０の凹部３２と係合する係止装置４０は、先端部が凹部３２に嵌合する係止
杆４２とこの係止杆４２を摺動自在に支持する本体４１とによって構成されており、係止
杆４２は本体４１の内部に配設されているコイルばね４３によって円盤部材３０の方向に
付勢されている。このコイルばね４３の弾性力に抗して係止杆４２を引くことにより係止
杆４２の先端部と凹部３２との係合状態は解除することができる。
【００２７】
凹部３２は、図４に示したように円盤部材３０の上面から下面に至る鉛直方向に延在す
るように円盤部材３０の周縁部に形成されている。本実施例１においては、このように凹
部３２が形成されているので、被加工用キーブランクの切削屑が凹部３２に詰まるような
ことはない。
【００２８】
図４に示したように、キー用バイス２１やキー用バイス２３は、バイス用マウント３１
上に載置された状態で、キー用バイスを貫通する一端が円盤部材３０に固定された固定用
ボルト１１と固定用ナット１０とによって円盤部材３０上に固定される。
【００２９】
ここで、図５に示すように、キー用バイス２１をバイス用マウント３１上に載置した状
態で、キー用バイス２１の下端面と円盤部材３０の上面との間に空隙Ｓが形成されるよう
にバイス用マウント３１はその高さが選ばれている。このような高さのバイス用マウント
３１を選ぶことにより、バイス用マウント３１の上面の切削屑を除去するだけで、キー用
バイス２１を常に正しい位置に装着することができる。即ち、空隙Ｓが形成されているの
で、円盤部材３０の上面上にある切削屑によってキー用バイス２１の高さが影響を受ける
ことはない。
【００３０】
以上のように構成された本実施例１によれば、円盤部材３０上に装着されている複数個
のキー用バイス２１〜２４の中から、製作する合鍵に合う挾持面を有するキー用バイスを
容易に選ぶことができ、その選ばれたキー用バイスにマスターキーやキーブランクを迅速
にセットすることができるので、効率よく精度の高い合鍵を作成することができる。
【００３１】
なお、以上説明した本実施例１においては挾持力に優れた所謂２面バイスが用いられて
いるが、高精度の合鍵を作る必要がない場合には、この所謂２面バイスに換えて所謂４面
バイスを装着することにしてもよい。
【図面の簡単な説明】
【００３２】
【図１】本考案の実施例１の構成を示す斜視図である。
【図２】図１に示した移動テーブル本体５ａと円盤部材３０と係止装置４０との平面構成を示す平面図である。
【図３】図１に示した円盤部材３０の構成を示す断面図である。
【図４】図１に示した円盤部材３０の構成の説明図である。
【図５】図１に示した円盤部材３０の構成の説明図である。
【図６】従来の合鍵複製機の構成を示す斜視図である。
【図７】従来の合鍵複製機の構成の説明図である。
【図８】従来の合鍵複製機のキー用バイスの構成を示す斜視図である。
【図９】従来の合鍵複製機のキー用バイスの構成を示す断面図である。
【符号の説明】
【００３３】
１  合鍵複製機
２  倣い具
３  カッター
４  モータ
５  移動テーブル
５ａ  移動テーブル本体
５ｂ  移動テーブル支持部
５ｃ  台座部
６  支持軸
７  横送り用ハンドル
１０  固定用ナット
１１  固定用ボルト
２０〜２４  キー用バイス
２０ａ，２１ａ，２３ａ  上バイス部材
２０ｂ，２１ｂ，２３ｂ  下バイス部材
３０  円盤部材
３１  バイス用マウント
３２  凹部
３３  軸部材
３４  ロールベアリング
４０  係止装置
４１  本体
４２  係止杆
４３  コイルばね
Ｄ  所定距離
Ｌ１，Ｌ２  直線
Ｐ１，Ｐ２  キー用バイス設置位置
Ｓ  空隙
Ｘ，Ｙ  方向
【図１】
0003123560.tif 000003
【図２】
0003123560.tif 000004
【図３】
0003123560.tif 000005
【図４】
0003123560.tif 000006
【図５】
0003123560.tif 000007
【図６】
0003123560.tif 000008
【図７】
0003123560.tif 000009
【図８】
0003123560.tif 000010
【図９】
0003123560.tif 000011